(57)【要約】【課題】表示パネルから入射した光がカバー部材によって減衰する減衰量を少なく抑えつつ、表示パネルの輪郭が視認されないようにすることができ、多重映りを防止することができる表示装置を提案する。【解決手段】有機ＥＬパネル１には、円偏光板２が貼り付けられている。円偏光板２は、パネル側直線偏光板２１と１／４波長板２２とが貼り合わされた構成である。また、有機ＥＬパネル１との間に空間を空けてカバー部材３が設けられる。カバー部材３は、カバー側直線偏光板４とスモークパネル５とが貼り合わされた構成である。カバー側直線偏光板４における偏光軸の方向と、パネル側直線偏光板２１における偏光軸の方向とが一致するように、カバー部材３は配置される。【選択図】図２
2008139497.tif 000002
【特許請求の範囲】
【請求項１】
画像を表示する表示パネルと、
表示パネルに貼り付けられ、表示パネルから入射する光を直線偏光の光にする偏光部材と、
表示パネルと空間を空けて配置されるカバー部材とを備え、
カバー部材は、偏光軸の向きが偏光部材を透過した光の偏光方向と一致する直線偏光板を有する
ことを特徴とする表示装置。
【請求項２】
表示パネルは、電流が流されることによって発光する有機薄膜を有する有機ＥＬパネルであり、
偏光部材は、１／４波長板と直線偏光板とを重ねた円偏光板であり、
前記円偏光板が有する直線偏光板の偏光軸の方向と、カバー部材が有する直線偏光板の偏光軸の方向とが一致する
請求項１に記載の表示装置。
【請求項３】
カバー部材は、入射した光の一部を透過させることが可能な着色された部材であるスモークパネルと、直線偏光板とを重ねることによって形成された
請求項１または請求項２に記載の表示装置。
【発明の詳細な説明】
【技術分野】
【０００１】
本発明は、表示装置に関し、特に、表示パネルにカバー部材を設けた表示装置に関する。
【背景技術】
【０００２】
表示パネルとして、陰極および陽極となる電極間に有機薄膜を設けた有機ＥＬ(Electroluminescence )パネルが知られている。陽極側から陰極側に向けて有機薄膜に電流を流すと、有機薄膜は電流量に応じた輝度で発光する。有機ＥＬパネルは、有機薄膜が発光する発光ディスプレイである。
【０００３】
有機ＥＬパネルが備える陰極として、非透明の金属が用いられる。また、陽極として、ＩＴＯ（Indium-Tin Oxide）等の透明電極が用いられる。有機薄膜は、陽極と同様に透明の層である。従って、有機薄膜が発光していないときには、有機ＥＬパネルの外部から入射する外光が陰極で反射して、陰極で反射した外光が有機ＥＬパネルの画像の観察者に到達する。すると、観察者には有機ＥＬパネルが鏡面として認識される。
【０００４】
このような有機ＥＬパネルでの外光の反射を防止するために、有機ＥＬパネルの前面側に円偏光板を配置する構成が知られている（例えば、特許文献１参照。）。特許文献１に記載されているように、円偏光板は、直線偏光板と位相差板（１／４波長板）とを組み合わせた構成である。
【０００５】
また、透過率の低いカバー部材を設けた表示装置も提案されている（例えば、特許文献２参照。）。特許文献２には、透過率の低いスモークパネルをカバー部材として用いた表示装置が提案されている。また、そのようなカバー部材を有する表示装置を車載用の表示装置として用いて、車両のイグニッションスイッチをオンとしたときには表示内容が視認可能な発光表示状態とし、イグニッションスイッチをオフとしたときにはカバー部材により表示内容が視認不能となるように非発光状態とすることが特許文献２に記載されている。
【０００６】
有機ＥＬパネルの前面に円偏光板を配置してスモークパネルを設けた構成を図示すると、図４または図５に示すような構成となる。図４は、円偏光板１０２を有機ＥＬパネル１０１の上層に重ね合わせ、空間を空けてスモークパネル１０３を設けた構成を示す説明図である。図５は、円偏光板１０２をスモークパネル１０３と重ね合わせ、有機ＥＬパネル１０１との間に空間を空けて円偏光板１０２およびスモークパネル１０３の組み合わせを設けた構成を示す説明図である。
【０００７】
図４や図５に示すように、有機ＥＬパネル１０１の前面に円偏光板１０２を配置してスモークパネル１０３を設けた構成とすると、円偏光板１０２が存在していることにより、有機ＥＬパネル１０１の陰極（図４および図５で図示せず。）で反射した外光が観察者に到達することを防止できる。また、スモークパネル１０３を設けたことによって、有機ＥＬパネル１０１の輪郭が観察者に認識されないようにすることができる。さらに、有機ＥＬパネル１０１が発光しているときは発光した部分（例えば発光した画素）が表す画像のみを観察者に認識させることができる。すなわち、有機ＥＬパネル１０１の輪郭を観察者に認識させずに、画像のみがスモークパネル１０３に浮かび上がったような表示状態を観察者に認識させることができる。
【０００８】
【特許文献１】特開２００６−３０８８９７号公報（段落０００５）
【特許文献１】特開２００５−１２１３７７号公報（段落０００３）
【発明の開示】
【発明が解決しようとする課題】
【０００９】
図４に示すように、円偏光板１０２を有機ＥＬパネル１０１に重ね合わせ、空間を空けてスモークパネル１０３を配置した場合、有機ＥＬパネル１０１と円偏光板１０２とを重ね合わせた部材の輪郭を見えないようにするため、透過率の低いスモークパネルを用いる。このとき、有機ＥＬパネル１０１の輪郭が視認されないようにすることができるが、有機ＥＬパネル１０１で発光した光もスモークパネル１０２で減衰してしまう。すなわち、有機ＥＬパネル１０１と円偏光板１０２とを重ね合わせた部材の輪郭が視認されないようにすることはできるが、有機ＥＬパネルの発光による画像の表示も暗くなってしまう。
【００１０】
スモークパネル１０３を透過する光の輝度を上昇させるためには、有機薄膜に流す電流を増加させて有機ＥＬパネル１０１自体の発光輝度を上昇させることが考えられる。しかし、有機薄膜に流す電流を増加させて発光輝度を上昇させると、有機ＥＬパネルの寿命が短くなってしまう。また、有機ＥＬパネルを駆動するドライバ（図示せず。）の制約により、有機薄膜に流すことができる電流にも限界があり、輝度を所望の輝度まで上昇させることができない場合もある。
【００１１】
一方、図５に示すように、円偏光板１０２とスモークパネル１０３とを重ね合わせ、有機ＥＬパネル１０１との間に空間を空けて円偏光板１０２およびスモークパネル１０３の組み合わせを設けた場合、円偏光板１０２およびスモークパネル１０３の組み合わせ全体での透過率が低ければ、有機ＥＬパネル１０１の輪郭が視認されないようにすることができる。すなわち、円偏光板１０２も入射した光の一部のみを透過させるので、スモークパネルの透過率が図４に示す構成におけるスモークパネルの透過率より高くても、円偏光板１０２およびスモークパネル１０３を含むカバー部材全体の透過率を低くすることができ、有機ＥＬパネル１０１の輪郭が視認されないようにすることができる。すると、カバー部材に含めるスモークパネルの透過率が、スモークパネルのみをカバー部材とする場合（図４参照。）よりも高くてよいので、有機ＥＬパネル１０１から入射した光の減衰を抑えることができる。従って、図５に示す構成では、有機ＥＬパネル１０１自体の発光輝度を上昇させなくても、有機ＥＬパネルから入射した光の減衰を抑えることができる。
【００１２】
しかし、有機ＥＬパネル１０１と円偏光板１０２との間に空間が空いていることによって、円偏光板１０２は有機ＥＬパネル１０１側から入射した光の一部（入射光の４％程度の光）を有機ＥＬパネル１０１側に反射する。また、既に説明したように、有機ＥＬパネル１０１が備える陽極および有機薄膜は透明であり、陰極は金属である。従って、円偏光板１０２における反射光を有機ＥＬパネル１０１の陰極はほぼそのまま反射する。この光は、再び円偏光板１０２に入射する。すると、有機ＥＬパネル１０１から入射し、そのままカバー部材を透過する光と、有機ＥＬパネル１０１から入射し、円偏光板１０２で反射し、さらに有機ＥＬパネル１０１の陰極で反射してからカバー部材を透過する光とが存在することになる（図５参照。）。その結果、観察者には、有機ＥＬパネルの発光によって表示される画像が二重に重なって認識されてしまうという現象が生じてしまう。この現象は、多重映りと呼ばれる。
【００１３】
そこで、本発明は、表示パネルから入射した光がカバー部材によって減衰する減衰量を少なく抑えつつ、表示パネルの輪郭が視認されないようにすることができ、多重映りを防止することができる表示装置を提案することを目的とする。
【課題を解決するための手段】
【００１４】
本発明の表示装置は、画像を表示する表示パネル（例えば、有機ＥＬパネル１）と、表示パネルに貼り付けられ、表示パネルから入射する光を直線偏光の光にする偏光部材（例えば、円偏光板２）と、表示パネルと空間を空けて配置されるカバー部材（例えば、カバー部材３）とを備え、カバー部材が、偏光軸の向きが偏光部材を透過した光の偏光方向と一致する直線偏光板（例えば、カバー側直線偏光板４）を有することを特徴とする。
【００１５】
表示パネルが、電流が流されることによって発光する有機薄膜を有する有機ＥＬパネルであり、偏光部材が、１／４波長板と直線偏光板（例えば、パネル側直線偏光板２１）とを重ねた円偏光板であり、その円偏光板が有する直線偏光板の偏光軸の方向と、カバー部材が有する直線偏光板の偏光軸の方向とが一致する構成であってもよい。
【００１６】
カバー部材が、入射した光の一部を透過させることが可能な着色された部材であるスモークパネルと、直線偏光板とを重ねることによって形成された構成であってもよい。
【発明の効果】
【００１７】
本発明によれば、表示パネルから入射した光がカバー部材によって減衰する減衰量を少なく抑えつつ、表示パネルの輪郭が視認されないようにすることができる。従って、表示パネルに表示された画像の表示を明るくして、表示パネルの輪郭が視認されないようにすることができる。また、多重映りを防止することができる
【発明を実施するための最良の形態】
【００１８】
以下、本発明の実施の形態を図面を参照して説明する。
図１は、本発明の表示装置の構成を示す説明図である。図１に示すように、本発明の表示装置は、有機ＥＬパネル１と、円偏光板２と、カバー部材３とを備える。
【００１９】
有機ＥＬパネル１は、電流が流されることによって発光する有機薄膜を有している。円偏光板２は、有機ＥＬパネル１に貼り付けられている。円偏光板２は、有機薄膜が発光して有機ＥＬパネル１から入射した光を直線偏光の光にする。
【００２０】
カバー部材３は、有機ＥＬパネル１との間に空間を空けて配置される。すなわち、カバー部材３は、有機ＥＬパネル１、および有機ＥＬパネル１に貼り付けられた円偏光板２との距離を離して配置される。カバー部材３は、直線偏光板４とスモークパネル５とを重ねることによって形成されている。例えば、カバー部材３は、直線偏光板（以下、カバー側直線偏光板と記す。）４とスモークパネル５とを貼り合わせた構成になっている。
【００２１】
なお、カバー部材３は、有機ＥＬパネル１よりも大きく、有機ＥＬパネル１を覆うように配置される。
【００２２】
カバー側直線偏光板４は、カバー側直線偏光板４の偏光軸の向きと、有機ＥＬパネル１から入射して円偏光板２を透過して直線偏光となった光の偏光方向とが一致するように配置される。
【００２３】
スモークパネル５は、入射した光の一部を透過させることができる着色された部材である。例えば、スモークパネル５は、着色したプラスチックによって実現される。スモークパネル５は、入射した光の一部を透過させるが、透過させる光の偏光方向を変化させることはない。
【００２４】
図２は、本発明の表示装置の構成をより詳細に示す説明図である。有機ＥＬパネル１は、陰極１３と陽極（図示せず。）との間に有機薄膜１２を挟持した積層物を透明基板（例えばガラス基板）１１に設けた構成となっている。なお、陰極１３と有機薄膜１２と陽極（図示せず。）を積層した積層物は、陽極側が透明基板１１に向くように設けられる。
【００２５】
陰極１３は、透明ではない金属であり、陽極は、ＩＴＯ等の透明電極である。有機薄膜１２は、陽極側から陰極側に電流が流されることによって発光する。有機ＥＬパネル１は、発光した部分によって画像を表示する。例えば、陽極および陰極間に有機薄膜を挟持した画素がマトリクス状に設けられ、その画素の一部または全部が発光することで画像を表示する。
【００２６】
有機薄膜１２、陽極、および透明基板１１はいずれも透明であるので、透明基板１１に入射した光は陰極１３まで到達する。また、陰極１３は金属であるので、陰極１３に達した光は、陰極１３で反射する。
【００２７】
円偏光板２は、１／４波長板２２と直線偏光板（以下、パネル側直線偏光板と記す。）２１とを重ね合わせた構成である。円偏光板２は、１／４波長板２２側の面がガラス基板１１に向くようにして有機ＥＬパネル１に貼り合わされる。有機ＥＬパネル１から入射した光は、１／４波長板２２を透過し、さらにパネル側直線偏光板２１を透過する。従って、有機ＥＬパネル１から入射した光は、パネル側直線偏光板２１を透過するので、円偏光板２を透過すると直線偏光の光になる。
【００２８】
カバー部材３は、カバー側直線偏光板４の偏光軸の方向と、パネル側直線偏光板２１の偏光軸の方向とが一致するように配置される。このようにカバー部材３を配置することによって、カバー側直線偏光板４の偏光軸の向きと、有機ＥＬパネル１から入射して円偏光板２を透過して直線偏光となった光の偏光方向とが一致する。
【００２９】
スモークパネル５とカバー側直線偏光板４とを含むカバー部材３全体の光の透過率は、有機ＥＬパネル１の輪郭が画像の観察者に視認されない透過率であればよい。ただし、有機ＥＬパネル１の輪郭が画像の観察者に視認されない透過率としてカバー部材３に要求される透過率は、本発明の表示装置が使用される環境によって変化する。例えば、表示装置が、自動車のインストルメントパネルといった車載用表示装置として用いられるのか、携帯機器用の表示装置として用いられるか等の使用環境によって、カバー部材３に要求される透過率は異なる。表示装置が車載用表示装置である場合、カバー部材３全体の透過率として要求される透過率は約２０〜３０％である。
【００３０】
カバー側直線偏光板４の透過率は１００％ではない。従って、同じ環境下で使用することを前提にして、本発明におけるカバー部材３に設けられるスモークパネル５単独の透過率と、スモークパネルを単独でカバー部材とする従来の構成（図４参照。）におけるスモークパネル１０３の透過率とを比較すると、本発明におけるカバー部材３に設けられるスモークパネル５単独の透過率の方をより高くすることができる。
【００３１】
また、カバー側直線偏光板４は、カバー側直線偏光板４自身の偏光軸の方向に偏光する直線偏光の光は、高い透過率（約９０％程度の透過率）で透過させることができる。従って、カバー部材３全体の透過率が、有機ＥＬパネル１の輪郭が画像の観察者に視認されない透過率であったとしても、有機ＥＬパネル１から入射して円偏光板２を透過して直線偏光になった光は、高い透過率でカバー側直線偏光板４を透過する。その光は、スモークパネル５を透過するときに減衰するが、既に説明したように、本発明におけるスモークパネル５の透過率は、スモークパネルを単独でカバー部材として用いる従来の構成（図４参照。）におけるスモークパネル１０３の透過率よりも高くすることができる。従って、本発明におけるスモークパネル５での光の減衰量は少なく抑えることができる。
【００３２】
本発明におけるスモークパネル５の透過率は、カバー側直線偏光板４と組み合わせて、カバー部材３に要求される透過率を実現できる最も高い透過率であることが好ましい。以下、スモークパネル５は、透過率がそのように調整されているものとする。なお、スモークパネル５の透過率を先に決定し、そのスモークパネル５と組み合わせて、カバー部材３に要求される透過率を実現できるようなカバー側直線偏光板４を用意してもよいが、所望の透過率のカバー側直線偏光板４を作製する生産コストは大きい。従って、使用するカバー側直線偏光板４との組み合わせでカバー部材３に要求される透過率を実現可能なスモークパネル５を用意することが好ましい。
【００３３】
また、カバー部材３において、カバー側直線偏光板４は、図１および図２に示すように有機ＥＬパネル１側に配置されていてもよい。あるいは、カバー部材３において、カバー側直線偏光板４が観察者側に配置され、スモークパネル５が有機ＥＬパネル１側に配置されていてもよい。また、カバー部材３は、スモークパネル５の間にカバー側直線偏光板４が挟み込まれた構成となっていてもよい。
【００３４】
次に、本発明の表示装置内での光の経路について説明する。
有機薄膜１２（図２参照。）が発光することによって有機ＥＬパネル１が光を出射すると、その光は１／４波長板２２を透過し、さらにパネル側直線偏光板２１を透過する。このとき、パネル側直線偏光板２１は、有機ＥＬパネル１から入射した光を直線偏光にする。
【００３５】
直線偏光となった光は、カバー側直線偏光板４に入射する。パネル側直線偏光板２１の偏光軸の方向と、カバー側直線偏光板４の偏光軸の方向とは一致している。従って、パネル側直線偏光板２１を透過して直線偏光になった光の偏光方向は、カバー側直線偏光板４の偏光軸の方向と一致する。よって、カバー側直線偏光板４は、パネル側直線偏光板２１を透過して直線偏光になった光を、少ない減衰量で透過させる。例えば、９０％程度の透過率で透過させる。
【００３６】
パネル側直線偏光板２１を透過した光は、スモークパネル５を透過する。このとき、スモークパネル５は、パネル側直線偏光板２１を透過した光の一部のみを透過させ、パネル側直線偏光板２１を透過した光は減衰する。しかし、スモークパネル５単独の透過率は、カバー側直線偏光板４と組み合わせて、カバー部材３に要求される透過率を実現できる最も高い透過率に調整されている。従って、本発明におけるスモークパネル５での光の減衰量は少なく抑えられる。
【００３７】
このようにカバー部材３は、有機ＥＬパネル１から入射して円偏光板２を透過した光を、減衰を抑えて透過させることができる。従って、観察者は、有機薄膜１２の発光によって表示される画像を、明るい画像として認識することができる。
【００３８】
また、パネル側直線偏光板２１と、カバー側直線偏光板４との間には空間が空けられている。従って、カバー側直線偏光板４は、パネル側直線偏光板２１側から入射した光の一部（入射光の４％程度の光）を反射する。同様に、パネル側直線偏光板２１も、カバー側直線偏光板４から入射した光の一部（入射光の４％程度の光）を反射する。すると、有機ＥＬパネル１から入射してカバー側直線偏光板４で反射し、さらにパネル側直線偏光板２１で反射する光も生じる。しかし、カバー側直線偏光板４とパネル側直線偏光板２１で反射するときの反射率は、それぞれ４％程度である。よって、カバー側直線偏光板４で反射し、さらにパネル側直線偏光板２１で反射したときには、観察者に視認されない程度の光になっている。従って、多重映りを防止することができる。
【００３９】
次に、カバー部材３に入射する外光について説明する。カバー部材３全体の光の透過率は、有機ＥＬパネル１の輪郭が画像の観察者に視認されない透過率である。また、外光は、カバー側直線偏光板４の偏光軸方向に偏光する直線偏光ではない。従って、カバー部材３に入射した外光は、スモークパネル５およびカバー側直線偏光板４を透過したときに大きく減衰する。同様に、カバー部材３を透過して有機ＥＬパネル１やその周囲で反射して再びカバー部材３に到達した光もカバー部材３透過時に大きく減衰する。この結果、画像の観察者は有機ＥＬパネル１の輪郭を認識しない。また、有機ＥＬパネル１の周囲に他の部材が配置されていたとしても、それらの部材も同様に観察者に認識されない。よって、有機ＥＬパネル１の輪郭を観察者に認識させずに、画像のみがカバー部材３に浮かび上がったような表示状態を観察者に認識させることができる。既に説明したように、この画像は明るい画像として観察者に認識される。
【００４０】
また、有機ＥＬパネル１の前面（観察者側の面）には円偏光板２が配置されているので、陰極１３での反射光を遮断することができる。より詳しく説明すると、円偏光板２に入射した光は、パネル側直線偏光板２１を透過するときに直線偏光になる。この光は、１／４波長板２２を透過し、陰極１３で反射し、再度１／４波長板２２を透過する。この光の偏光方向は、パネル側直線偏光板２１の吸収軸の方向である。従って、陰極１３で反射した光はパネル側直線偏光板２１まで戻るとパネル側直線偏光板２１で遮断される。
【００４１】
以上のように、本発明によれば、有機ＥＬパネル１の輪郭を観察者に認識させずに、画像のみがカバー部材３に浮かび上がったような表示状態を観察者に認識させることができる。また、有機ＥＬパネル１から入射した光がカバー部材３によって減衰する減衰量を少なく抑えることができる。よって、表示された画像を明るい画像として観察者に認識させることができる。また、多重映りを防止することができる。
【００４２】
なお、上記の実施の形態では、カバー部材３がスモークパネル５を含んでいる場合を示した。カバー側直線偏光板４のみの透過率が、カバー部材３全体に要求される透過率である場合、カバー側直線偏光板４のみをカバー部材３として使用してもよい。すなわち、カバー側直線偏光板４を配置しただけで、有機ＥＬパネル１の輪郭が画像の観察者に認識されないのであれば、カバー側直線偏光板４のみをカバー部材３としてもよい。この場合も、カバー側直線偏光板４は、カバー側直線偏光板４の偏光軸の方向とパネル側直線偏光板２１の偏光軸の方向とが一致するように配置される。
【００４３】
また、円偏光板２を貼り付けた有機ＥＬパネル１の代わりに、直線偏光板を貼り付けた液晶表示パネルを配置した構成であってもよい。
【実施例】
【００４４】
本発明の表示装置を以下のように作製した。有機ＥＬパネル１として、円偏光板を貼り付けない状態で有機薄膜を発光させたときの輝度が１０００ｃｄ／ｍ２である有機ＥＬパネルを用いた。その有機ＥＬパネル１に貼り付ける円偏光板２として、透過率が４５％である円偏光板を用いた。
【００４５】
また、上記の円偏光板を貼り付けた有機ＥＬパネルとの間に空間を空けてカバー部材３を配置した。このカバー部材３は、単独での透過率が６７％であるスモークパネルと、単独での透過率が４５％であるカバー側直線偏光板とを重ね合わせて形成した。このカバー部材３全体の透過率は３０％である。
【００４６】
この表示装置の有機薄膜を発光させて画像を確認したところ、視認された輝度は２７０ｃｄ／ｍ２であった。また、多重映りは発生しなかった。
【００４７】
［比較例１］図４に示す構成の表示装置を以下のように作製した。有機ＥＬパネル１０１（図４参照。）として、円偏光板を貼り付けない状態で有機薄膜を発光させたときの輝度が１０００ｃｄ／ｍ２である有機ＥＬパネルを用いた。その有機ＥＬパネル１０１に貼り付ける円偏光板１０２（図４参照。）として、透過率が４５％である円偏光板を用いた。
【００４８】
また、上記の円偏光板を貼り付けた有機ＥＬパネルとの間に空間を空けてスモークパネル１０３（図４参照。）を配置し、スモークパネル１０３を単独でカバー部材とした。スモークパネル１０３として、透過率が３０％であるスモークパネルを用いた。スモークパネル１０３を単独でカバー部材としているので、カバー部材全体の透過率も３０％である。
【００４９】
この表示装置の有機薄膜を発光させて画像を確認したところ、視認された輝度は１３５ｃｄ／ｍ２であった。また、多重映りは発生しなかった。
【００５０】
［比較例２］図５に示す構成の表示装置を以下のように作製した。有機ＥＬパネル１０１（図５参照。）として、円偏光板を貼り付けない状態で有機薄膜を発光させたときの輝度が１０００ｃｄ／ｍ２である有機ＥＬパネルを用いた。この有機ＥＬパネルには円偏光板を貼り付けなかった。
【００５１】
また、この有機ＥＬパネルとの間に空間を空けて、スモークパネル１０３および円偏光板１０２（図５参照。）を重ね合わせたカバー部材を配置した。スモークパネル１０３として、単独での透過率が６７％であるスモークパネルを用いた。また、円偏光板１０２として、単独での透過率が４５％である円偏光板を用いた。カバー部材全体の透過率は３０％であった。
【００５２】
この表示装置の有機薄膜を発光させて画像を確認したところ、視認された輝度は３０１ｃｄ／ｍ２であった。また、多重映りが生じた。
【００５３】
図３は、実施例および各比較例１，２で用いた部材の透過率や画像の視認結果等をまとめた説明図である。実施例と比較例１とを比べると、カバー部材全体としての透過率がいずれも３０％であっても、実施例の構成では、スモークパネル単独での透過率を６７％として、スモークパネルのみをカバー部材とする比較例１に比べて、スモークパネル自体の透過率を高くすることができる。その結果、実施例では、カバー部材全体としての透過率が３０％であったとしても、有機ＥＬパネルから入射した光の減衰を少なく抑えることができ、比較例１と比べて、視認される輝度を２倍に上昇させられることを確認できた。
【００５４】
また、実施例１と比較例２とを比較すると、実施例の構成では、比較例２の構成で実現される視認輝度（３０１ｃｄ／ｍ２）に近い視認輝度（２７０ｃｄ／ｍ２）を実現することができた。また、比較例２の構成で生じた多重映りの発生を、実施例の構成では防ぐことができた。
【産業上の利用可能性】
【００５５】
本発明は、カバー部材を有する表示装置に好適に適用される。例えば、インストルメントパネル等の車載用表示装置や、デジタルオーディオプレーヤー等の携帯機器用の表示装置に好適に適用される。
【図面の簡単な説明】
【００５６】
【図１】本発明の表示装置の構成を示す説明図。
【図２】本発明の表示装置の構成をより詳細に示す説明図。
【図３】実施例および各比較例１，２で用いた部材の透過率や画像の視認結果等をまとめた説明図。
【図４】円偏光板を有機ＥＬパネルの上層に重ね合わせ、空間を空けてスモークパネルを設けた構成を示す説明図。
【図５】有機ＥＬパネルとの間に空間を空けて円偏光板およびスモークパネルの組み合わせを設けた構成を示す説明図。
【符号の説明】
【００５７】
１  有機ＥＬパネル
２  円偏光板
３  カバー部材
４  カバー側直線偏光板
５  スモークパネル
１１  透明基板
１２  有機薄膜
１３  陰極
２１  パネル側直線偏光板
２２  １／４波長板
【図１】
2008139497.tif 000003
【図２】
2008139497.tif 000004
【図３】
2008139497.tif 000005
【図４】
2008139497.tif 000006
【図５】
2008139497.tif 000007